(57)【要約】【課題】  複数の番組が放送された放送電波から所望のチャンネルを選局して受信する放送受信装置において、使用者の手を煩わせることなく、放送受信装置の位置に応じた適切な放送チャンネルを受信できるようにする。【解決手段】  携帯電話機２０の制御部２１（ＣＰＵ）は、携帯電話機２０の現在地を検出し、検出した現在地において、受信可能なテレビ放送チャンネルを表すチャンネルリストを外部から受信し、この受信したチャンネルリストの内容を、チャンネルデータとして制御部２１（ＲＡＭ）に登録する。従って、携帯電話機２０の現在地を検出し、検出した現在地に基づいて選局可能なテレビ放送チャンネルを登録するので、現在地の情報の入力を求めることなく、容易にテレビ放送チャンネルの登録をすることができる。【選択図】  図１
2006319760.tif 000002
【特許請求の範囲】
【請求項１】
放送電波の受信信号の中から特定の放送チャンネルの信号を選局する放送電波受信手段と、
前記放送電波受信手段により選局可能な放送チャンネルを表すチャンネルデータを予め登録しておく登録手段と、
前記登録手段に登録されたチャンネルデータの中から特定の放送チャンネルを選択し、この放送チャンネルを前記放送電波受信手段に受信させる選局制御手段と、
を備えた放送受信装置であって、
当該放送受信装置の現在地を検出する現在地検出手段と、
前記現在地検出手段が検出した現在地において受信可能な放送チャンネルを表すチャンネルリストを外部から受信し、この受信したチャンネルリストの内容を、前記チャンネルデータとして前記登録手段に登録する登録制御手段と、
を備えたことを特徴とする放送受信装置。
【請求項２】
前記現在地検出手段は、
自身の位置情報を無線通信用の通信電磁波に乗せて送信する複数の通信施設からの通信電磁波を受信する電磁波受信手段と、
前記電磁波受信手段が受信した各通信施設の位置情報と、各通信施設から送信された通信電磁波の受信強度とに基づいて、当該放送受信装置の現在地を算出する算出手段と、
を備えたことを特徴とする請求項１に記載の放送受信装置。
【請求項３】
前記登録制御手段により取得されるチャンネルリストには、各放送チャンネルに対応する番組を放送する放送局が識別可能に記述されており、
前記登録手段は、前記選局可能な各放送チャンネルおよびその放送局を、使用者が識別できるようにするために予め設定された複数の識別子のそれぞれに対応させて登録可能であって、
前記選局制御手段は、外部指令により特定の識別子が選択されると、前記登録手段に登録されたチャンネルデータの中から、この識別子に対応する特定の放送チャンネルを選択し、この放送チャンネルを前記放送電波受信手段に受信させるよう構成されており、
前記登録制御手段は、新たにチャンネルリストの内容を前記登録手段に登録する際に、前記登録手段に既に登録された各放送局と同系列の放送局を前記チャンネルリストからそれぞれ抽出し、抽出した各放送局に対応する各放送チャンネルを、同一の識別子のそれぞれに対応させて上書き登録すること
を特徴とする請求項１または請求項２に記載の放送受信装置。
【請求項４】
前記現在地検出手段は、定期的に当該放送受信装置の現在地を検出し、
前記選局制御手段は、現在、放送電波受信手段により受信中の放送チャンネルを登録した識別子に対応する放送チャンネルが、前記登録手段により上書き登録されると、前記放送電波受信手段が受信する放送チャンネルを上書き登録された放送チャンネルに変更すること
を特徴とする請求項３に記載の放送受信装置。
【発明の詳細な説明】
【技術分野】
【０００１】
本発明は、複数の番組が放送された放送電波から所望のチャンネルを選局して受信する放送受信装置に関する。
【背景技術】
【０００２】
従来より、予め受信可能な放送チャンネルを放送受信装置内に登録しておき、この登録された放送チャンネルを選局時に呼び出すことにより、受信する放送チャンネルを瞬時に切り替えることができる放送受信装置が広く知られている。
【０００３】
このような放送受信装置において、受信可能な放送チャンネルを登録する際には、例えば、使用者に郵便番号や電話番号等の放送受信装置の位置を表す位置情報を入力させ、この入力された位置情報に対応して放送受信装置内に予め記憶されたチャンネルデータを抽出し、このチャンネルデータに含まれた放送チャンネルを登録するよう構成されている（例えば、特許文献１参照）。
【特許文献１】特開２００１−１６８６８４号公報
【発明の開示】
【発明が解決しようとする課題】
【０００４】
しかしながら、上記放送受信装置においては、使用者により入力された位置情報に基づいて放送チャンネルを登録するよう構成されているので、放送受信装置を移動させる度に、使用者により位置情報の入力を要求しなければならず、使用者にとってはこの操作が煩わしいという問題点があった。
【０００５】
そこで、このような問題点を鑑み、放送受信装置において、使用者の手を煩わせることなく、放送受信装置の位置に応じた適切な放送チャンネルを受信できるようにすることを本発明の目的とする。
【課題を解決するための手段】
【０００６】
かかる目的を達成するためになされた請求項１に記載の発明は、放送電波の受信信号の中から特定の放送チャンネルの信号を選局する放送電波受信手段と、前記放送電波受信手段により選局可能な放送チャンネルを表すチャンネルデータを予め登録しておく登録手段と、前記登録手段に登録されたチャンネルデータの中から特定の放送チャンネルを選択し、この放送チャンネルを前記放送電波受信手段に受信させる選局制御手段と、を備えた放送受信装置であって、当該放送受信装置の現在地を検出する現在地検出手段と、前記現在地検出手段が検出した現在地において受信可能な放送チャンネルを表すチャンネルリストを外部から受信し、この受信したチャンネルリストの内容を、前記チャンネルデータとして前記登録手段に登録する登録制御手段と、を備えたことを特徴としている。
【０００７】
従って、このような放送受信装置によれば、現在地を検出し、検出した現在地に基づいて選局可能な放送チャンネルを登録するので、現在地の情報の入力を求めることなく、容易に放送チャンネルの登録をすることができる。
【０００８】
また、請求項１に記載の放送受信装置において、現在地検出手段は、請求項２に記載のように、自身の位置情報を無線通信用の通信電磁波に乗せて送信する複数の通信施設からの通信電磁波を受信する電磁波受信手段と、電磁波受信手段が受信した各通信施設の位置情報と、各通信施設から送信された通信電磁波の受信強度とに基づいて、この放送受信装置の現在地を算出する算出手段と、を備えていることが望ましい。
【０００９】
つまり、放送電波を受信可能な地域の多くは、携帯電話機や無線ＬＡＮ等の無線通信用の通信電磁波を受信可能な地域でもあるため、このような放送受信装置によれば、この通信電磁波により比較的容易に放送受信装置の現在地を特定することができる。
【００１０】
また、放送受信装置に無線通信を行う無線通信手段が備えられている場合には、この手段を用いて現在地を検出することができるので、位置を検出するための専用装置を配置する必要がない。
【００１１】
さらに、請求項１または請求項２に記載の放送受信装置において、登録制御手段により取得されるチャンネルリストには、各放送チャンネルに対応する番組を放送する放送局が識別可能に記述されており、登録手段は、選局可能な各放送チャンネルおよびその放送局を、使用者が識別できるようにするために予め設定された複数の識別子のそれぞれに対応させて登録可能であって、選局制御手段は、外部指令により特定の識別子が選択されると、登録手段に登録されたチャンネルデータの中から、この識別子に対応する特定の放送チャンネルを選択し、この放送チャンネルを放送電波受信手段に受信させるよう構成されていることが想定される。このような場合には、登録制御手段は、請求項３に記載のように、新たにチャンネルリストの内容を登録手段に登録する際に、登録手段に既に登録された各放送局と同系列の放送局をチャンネルリストからそれぞれ抽出し、抽出した各放送局に対応する各放送チャンネルを、同一の識別子のそれぞれに対応させて上書き登録することが望ましい。
【００１２】
具体的には、例えば、東京地区にてＶＨＦ１チャンネルで放送されている放送チャンネルを識別子の１番に対応付けて登録し、この放送チャンネルが大阪地区ではＶＨＳ２チャンネルで放送されていれば、この放送チャンネルを識別子の１番に上書きするのである。
【００１３】
従って、このような放送受信装置によれば、移動しながら放送電波を受信するような場合など、異なる地域の放送電波を受信するときであっても、見かけ上のチャンネル設定を変更することなく放送チャンネルを受信することができる。
【００１４】
なお、同系列の放送局を特定するには、予め現在地と放送チャンネルおよび放送局を記憶する手段を備えておき、この手段から同系列の放送局を抽出するようにすればよい。また、公知の電子番組表を受信し、その番組表から同一の放送番組を放送している放送局を特定することにより、同系列の放送局を特定するようにしてもよい。
【００１５】
加えて、請求項３に記載の放送受信装置において、現在地検出手段は、例えば、電源が投入されたときや、予め定められた操作がされたときのみにこの放送受信装置の現在地を検出するようにしてもよいが、請求項４に記載のように、定期的に放送受信装置の現在地を検出するように構成し、選局制御手段は、現在、放送電波受信手段により受信中の放送チャンネルを登録した識別子に対応する放送チャンネルが、登録手段により上書き登録されると、放送電波受信手段が受信する放送チャンネルを上書き登録された放送チャンネルに変更することすることが望ましい。
【００１６】
従って、このような放送受信装置によれば、移動しながら放送番組を受信する場合であっても、チャンネルの設定をすることなく同一または同系列の放送局から放送される番組を受信し続けることができる。
【発明を実施するための最良の形態】
【００１７】
以下に本発明にかかる実施の形態を図面と共に説明する。
まず、本発明の放送受信装置を含むシステムについて図１を用いて説明する。図１は、放送受信システム１の概要を示すブロック図である。
【００１８】
図１に示すように、放送受信システム１は、インターネット網７に接続されたホストサーバ１０と、インターネット網７および電話回線網９に接続された地上局である通信基地局５ａ〜５ｅと、テレビ放送番組を生成する複数の放送局３２ａ〜３２ｄと、これらの放送局３２ａ〜３２ｄにて生成されたテレビ放送番組を電波に乗せて送信する地上局である複数の放送基地局３１ａ〜３１ｃと、複数の通信基地局５ａ〜５ｅと通信可能であって複数の放送基地局から送信された電波を受信可能な携帯電話機２０（本発明でいう放送受信装置）と、を備えた構成とされている。
【００１９】
ホストサーバ１０は、ＣＰＵ、ＲＯＭ、ＲＡＭ等を備えた公知のマイクロコンピュータとして機能する処理部１１と、インターネット網７を介して外部と通信可能な通信部１２と、各放送基地局３１ａ〜３１ｃから送信されているテレビ放送チャンネルとその受信可能領域を記憶したチャンネルリストデータベース（Ｄ．Ｂ）１３と、各放送基地局３１ａ〜３１ｃや各通信基地局５ａ〜５ｅの位置、そこから出力される電波の送信出力、指向性等の基地局の情報を記憶した基地局データベース１４とを備えている。
【００２０】
ここで、チャンネルリストデータベース１３には、テレビの放送電波を受信可能な領域を複数の領域に分割して、その領域のそれぞれにおいて受信可能なテレビ放送チャンネルが、そのテレビ放送チャンネルの制作を手掛ける放送局３２ａ〜３２ｄと対応させて記述されている。
【００２１】
処理部１１は、携帯電話機２０からの要求を受けたときや、予め設定された時刻になったとき等の所定の条件が成立したときに、ＲＯＭに格納されたプログラムに基づいて、通信部１２を介して外部と通信を行ったり、チャンネルリストデータベース１３や基地局データベース１４の内容の読み出しおよび書き換えを行ったりする。
【００２２】
携帯電話機２０は、ＣＰＵ（本発明でいう選局制御手段）、ＲＯＭ、ＲＡＭ（本発明でいう登録手段）等を備えた公知のマイクロコンピュータとして機能する制御部２１と、使用者が操作指示を外部入力するための操作部２２と、画像を表示するディスプレイ２３と、放送基地局３１ａ〜３１ｃより送信された放送電波を選局して受信するＴＶ放送受信部２４（本発明でいう放送電波受信手段）と（但し、携帯電話機２０の位置により受信可能な放送基地局の種類と数は変化する。）、複数の通信基地局５ａ〜５ｅから通信電波を受信し（但し、携帯電話機２０の位置により通信電波を受信可能な通信基地局の種類と数は変化する。）、そのうちの１つの通信基地局５ａ〜５ｅを介して外部と通信可能な通信部２５（本発明でいう電磁波受信手段）と、を備えている。
【００２３】
制御部２１は、ＴＶ放送受信部２４を介して受信可能なテレビ放送チャンネルをＲＡＭ等に記憶することができ、記憶されたテレビ放送チャンネルを読み出すことにより、瞬時にテレビ放送チャンネルを切り替えることができるよう設定されている。
【００２４】
そして、制御部２１は、通信部２５を介して受信した各通信基地局５ａ〜５ｅからの電界強度をそれぞれ検出する機能を有する。
ここで、各通信基地局５ａ〜５ｅは、自身を識別するための識別情報（例えば、自身の位置の情報等）を定期的に送信するよう設定されている。
【００２５】
このため、携帯電話機２０の制御部２１は、各通信基地局５ａ〜５ｅから送信された複数の識別情報と、各通信基地局５ａ〜５ｅから送信された放送電波の電界強度（受信強度）とに基づいて、携帯電話機２０の現在地を検出することができる。なお、携帯電話機２０の現在地を検出する具体的な処理については、図３に示す現在地検出処理において説明する。
【００２６】
また、制御部２１のＲＡＭは、チャンネル番号（受信周波数）と使用者設定番号（本発明でいう識別子）とが対応付けられたチャンネルデータを記憶可能に構成されている。
このチャンネルデータは、使用者により使用者設定番号と対応させるチャンネル番号とが選択されることによりＲＡＭに記憶される。また、使用者が使用者設定番号とチャンネル番号とを対応させる時期は、任意の時期でよく、後述するチャンネルデータ更新処理を実行するまでに使用者設定番号とチャンネル番号とが対応させられていない場合には、例えば、空いている使用者設定番号に順に登録したり、チャンネルリストに使用者設定番号とチャンネル番号との関係が記述されている場合にはチャンネルリストに記述されている使用者設定番号とチャンネル番号との関係に基づいて登録したりする。
【００２７】
ここで、この携帯電話機２０は、移動中であっても携帯電話機２０の現在地に応じて最適なテレビ放送チャンネルを受信できるような機能を備えている。この機能は、携帯電話機２０において、図２に示す処理を実行することにより実現される。図２は携帯電話機２０の制御部２１が実行するチャンネルデータ更新処理を示すフローチャートである。
【００２８】
なお、チャンネルデータ更新処理のＳ１３０〜Ｓ２７０の処理は、本発明でいう登録制御手段に相当する。
チャンネルデータ更新処理は、予め設定された時間間隔（例えば、１時間毎）、または通信部２５が使用する通信基地局５ａ〜５ｅが変更になったとき、或いは携帯電話機２０のＴＶ放送受信部２４が受信するテレビ放送番組の受信状態が悪化したとき等、予め設定された条件が成立したときや、使用者による指令を受けたときに起動し、まず、Ｓ１１０にて現在地検出処理を実行する。
【００２９】
この現在地実行処理は、携帯電話機２０の現在地を検出する処理であって、詳しくは図３を用いて説明する。
次に、Ｓ１２０に移行し、Ｓ１２０では、通信部２５を介してホストサーバ１０と通信を行い、ホストサーバ１０に対して現在地の情報を送信することにより、この現在地に対応したチャンネルリストを取得する。
【００３０】
なお、ホストサーバ１０は、携帯電話機２０から現在地の情報を受信すると、この現在地がチャンネルリストデータベース１３に格納された各領域のうち、何れの領域に該当するかを判断し、該当する領域のチャンネルリストを携帯電話機２０に送信するよう設定されている。
【００３１】
次いで、Ｓ１３０に移行し、Ｓ１３０では、取得したチャンネルリストに記述された受信可能なテレビ放送チャンネルから１つのチャンネル（例えば、チャンネル番号が一番若いもの）を選択し、Ｓ１４０に移行する。
【００３２】
Ｓ１４０では、選択中のテレビ放送チャンネルを制作した放送局と類似または同一（同系列）の放送局がチャンネルリスト内に記憶されているか否かを判定する。類似または同一の放送局がチャンネルリスト内に記憶されている場合にはＳ１５０に移行し、類似または同一の放送局がチャンネルリスト内に記憶されていない場合にはＳ２２０に移行する。
【００３３】
ここで、各放送局同士の類似の判断は、予め放送局を識別するために放送局に関連付けて付与された識別符号を参照し、その差異が一定の範囲内であれば類似と判断する。
Ｓ２２０では、空いている使用者設定番号（つまり、チャンネル番号が対応付けられていない使用者設定番号）に、このテレビ放送チャンネルのチャンネル番号を記憶し、Ｓ２００に移行する。
【００３４】
一方、Ｓ１５０では、類似または同一の放送局であるチャンネル番号が対応付けられた使用者設定番号に、このテレビ放送チャンネルのチャンネル番号を上書きして記憶し、Ｓ１６０に移行する。
【００３５】
そして、Ｓ１６０では、選択中のテレビ放送チャンネルは、現在ＴＶ放送受信部２４により受信中であるか否かを判定する。選択中のテレビ放送チャンネルが現在受信中であればＳ１７０に移行し、選択中のテレビ放送チャンネルが受信中でなければＳ２００に移行する。
【００３６】
Ｓ１７０では、上書きしたテレビ放送チャンネルと対応する放送局と、上書きされたテレビ放送チャンネルと対応する放送局とが、同一の放送局であるか否かを判定する。これらの放送局が同一である場合にはＳ１８０に移行し、これらの放送局が類似である場合にはＳ１９０に移行する。
【００３７】
そして、Ｓ１８０では、テレビ放送チャンネルを変更してもよいか否かを使用者に求めるための画像を生成し、ディスプレイ２３に表示させ、使用者から操作部２２を介してどのような入力があったかを判定する。操作部２２を介した入力がなければＳ１８０を繰り返し、操作部２２を介してテレビ放送チャンネルの切り替えを許可する旨の入力があった場合にはＳ１９０に移行し、操作部２２を介してテレビ放送チャンネルの切り替えを禁止する旨の入力があった場合にはＳ２００に移行する。
【００３８】
Ｓ１９０では、上書き後のテレビ放送チャンネルにＴＶ放送受信部２４が受信しているテレビ放送チャンネルを切り替え、Ｓ２００に移行する。
そして、Ｓ２００では、取得したチャンネルリストに記述された全てのテレビ放送チャンネルについて、チャンネル番号表への抽出が完了したか否かを判定する。全てのテレビ放送チャンネルの抽出が完了していればＳ２１０に移行し、何れかのテレビ放送チャンネルの抽出が完了していなければＳ２１０に移行する。
【００３９】
Ｓ２１０では、チャンネルリストに記述されたチャンネル番号について、チャンネル番号への抽出が完了していないテレビ放送チャンネルを選択し、Ｓ１４０に戻る。
一方、Ｓ２３０では、上書きされなかったテレビ放送チャンネルを１つ（例えば、チャンネル番号の若い順に）選択する。
【００４０】
そして、Ｓ２４０に移行し、Ｓ２４０では、選択中のテレビ放送チャンネルが受信中であるか否かを判定する。選択中のテレビ放送チャンネルが受信中であればＳ２６０に移行し、選択中のテレビ放送チャンネルが受信中でなければＳ２５０に移行する。
【００４１】
Ｓ２５０では、選択中のテレビ放送チャンネルを削除し、Ｓ２６０に移行する。
次いで、Ｓ２６０では、上書きされなかったテレビ放送チャンネルの全てを選択したか否かを判定する。上書きされなかったテレビ放送チャンネルの何れかが未選択であれば、Ｓ２７０に移行し、次の未選択のテレビ放送チャンネルを選択し、Ｓ２４０に戻る。
【００４２】
一方、Ｓ２６０において、上書きされなかったテレビ放送チャンネルの全てを選択していれば、チャンネルデータ更新処理を終了する。
次に、チャンネルデータ更新処理のＳ１１０にて示す現在地検出処理の詳細について、図３を用いて説明する。図３は現在地検出処理を示すフローチャートである。
【００４３】
なお、この現在地検出処理は、本発明でいう現在地検出手段に相当する。また、この現在地検出処理において、Ｓ３３０〜Ｓ３５０、Ｓ３７０〜Ｓ４００の処理は、本発明でいう算出手段に相当する。
【００４４】
現在地検出処理は、まず、Ｓ３１０にて、通信部２５を介して２箇所以上の通信基地局５ａ〜５ｅからの通信電波を受信したか否かを判定する。２箇所以上の通信基地局５ａ〜５ｅからの通信電波を受信していればＳ３２０に移行し、１箇所以下の通信基地局５ａ〜５ｅからの通信電波しか受信していなければ、Ｓ４１０に移行する。
【００４５】
Ｓ３２０では、通信部２５を介して３箇所以上の通信基地局５ａ〜５ｅ（例えば、第１〜第３通信基地局５ａ〜５ｃ）から通信電波を受信したか否かを判定する（局数判定手段）。３箇所以上の通信基地局５ａ〜５ｅからの通信電波を受信していればＳ３３０に移行し、２箇所の通信基地局５ａ〜５ｅからの通信電波を受信していれば、Ｓ３６０に移行する。
【００４６】
Ｓ３３０では、通信電波を検出した通信基地局５ａ〜５ｅ（３箇所以上）の全てについて、これらの通信電波から、各通信基地局５ａ〜５ｅの位置、通信電波の送信出力、およびその指向性を取得する。
【００４７】
なお、通信電波に通信基地局５ａ〜５ｅを識別するための識別情報のみが乗せられている場合には、この識別情報をホストサーバ１０に送信し、ホストサーバ１０から各通信基地局５ａ〜５ｅの位置、通信電波の送信出力、およびその指向性の情報を取得する。
【００４８】
つまり、ホストサーバ１０は、携帯電話機２０から通信基地局５ａ〜５ｅの識別情報を取得すると、予め識別情報に対応して基地局データベース１４に記憶された各通信基地局５ａ〜５ｅの位置、通信電波の送信出力、およびその指向性の情報を取得する。
【００４９】
そして、Ｓ３４０に移行し、携帯電話機２０が検出した各通信基地局５ａ〜５ｅから送信された放送電波の電界強度と、Ｓ３３０にて取得した各種情報とに基づいて、携帯電話機２０と、各通信基地局５ａ〜５ｅまでの距離をそれぞれ算出する。
【００５０】
次いで、Ｓ３５０に移行し、携帯電話機２０から３箇所以上の通信基地局５ａ〜５ｅとの距離により特定される１点（交点）を演算し、現在地として設定し、現在地検出処理を終了する。
【００５１】
次に、Ｓ３２０にて、２箇所の通信基地局５ａ〜５ｅからの通信電波を受信していない場合に移行するＳ３６０では、前回携帯電話機２０の位置（現在地）検出に成功してから所定時間（例えば、１０分）以内であるか否かを判定する。前回携帯電話機２０の位置検出に成功してから所定時間以内であればＳ３７０に移行し、前回携帯電話機２０の位置検出に成功してから所定時間以上経過していれば、Ｓ４１０に移行する。
【００５２】
次いで、Ｓ３７０およびＳ３８０では、前述のＳ３３０およびＳ３４０の処理とほぼ同様の処理を行う。
即ち、Ｓ３７０では、通信電波を検出した通信基地局５ａ〜５ｅ（２箇所）について、これらの通信電波から、各通信基地局５ａ〜５ｅの位置、通信電波の送信出力、およびその指向性を取得する。
【００５３】
そして、Ｓ３８０に移行し、携帯電話機２０が検出した各通信基地局５ａ〜５ｅから送信された放送電波の電界強度と、Ｓ３３０にて取得した各種情報とに基づいて、携帯電話機２０と、各通信基地局５ａ〜５ｅまでの距離をそれぞれ算出する。
【００５４】
次いで、Ｓ３９０に移行し、Ｓ３９０では、携帯電話機２０から２箇所の通信基地局５ａ〜５ｅとの距離により特定される２点（交点）を演算し、Ｓ４００に移行する。
そして、Ｓ４００では、Ｓ３９０にて特定された２点のうち、前回設定した現在地に近い点を、現在地であると推定して設定し（推定手段）、現在地検出処理を終了する。
【００５５】
次に、Ｓ４１０では、初めにＳ３１０の処理を行ってから一定時間以上経過した状態（タイムアウト）になったか否かを判定する。タイムアウトになっていればＳ４２０に移行し、タイムアウトになっていなければＳ３１０に戻る。
【００５６】
Ｓ４２０では、受信可能な全ての放送電波が微弱であるか否かを判定する。受信可能な全ての放送電波が微弱になっていれば、Ｓ４３０に移行し、受信状態が不良である旨を使用者に報知し、現在地検出処理を繰り返す。
【００５７】
一方、Ｓ４２０にて、受信可能な何れかの放送電波に十分な強度があれば、そのまま現在地検出処理を繰り返す。
なお、Ｓ４２０およびＳ４３０の処理の終了後に現在地検出処理を繰り返す場合には、Ｓ４１０のタイムアウトの判定に使用する時間（Ｓ３１０を初めに行ったときからの時間）は一旦クリアするよう設定されている。
【００５８】
また、現在地検出処理のＳ４３０にて受信状態が不良である旨を使用者に報知する具体例としては、例えば、携帯電話機２０に備えられたスピーカ（図示省略）から警告音を発生させる構成であってもよいし、ディスプレイ２３に文字等の画像を表示させる構成であってもよい。
【００５９】
ここで、チャンネルデータ更新処理にて使用されるチャンネルリストは、例えば、ホストサーバ１０が図４に示すような処理を行うことにより作成される。図４はホストサーバ１０の処理部１１が実行するチャンネルリスト作成処理を示すフローチャートである。
【００６０】
なお、このチャンネルリスト作成処理を実行するにあたっては、予め、各放送基地局３１ａ〜３１ｃの位置、各放送基地局３１ａ〜３１ｃから送信される放送電波の送信出力、各放送基地局３１ａ〜３１ｃから送信される放送電波の指向性が基地局データベース１４に記憶されている。また、各放送基地局３１ａ〜３１ｃから送信されるテレビ放送チャンネルの種類も併せて基地局データベース１４に記憶されている。
【００６１】
チャンネルリスト作成処理は、初めにチャンネル番号変更処理が行われる前に実行される処理であって、まず、Ｓ５１０にて予め入力されている放送基地局３１ａ〜３１ｃのうちの１つを選択する。
【００６２】
そして、Ｓ５２０に移行し、選択した放送基地局３１ａ〜３１ｃの位置、各放送基地局から送信される放送電波の送信出力、および各放送基地局３１ａ〜３１ｃから送信される放送電波の指向性についての情報を基地局データベース１４から読み出し、これらの情報に基づいて、選択中の放送基地局３１ａ〜３１ｃから出力される放送電波を受信可能な受信可能領域を設定する。
【００６３】
そして、Ｓ５３０に移行し、この受信可能領域において受信可能なテレビ放送チャンネルをチャンネルリストに追加設定する。
次いで、Ｓ５４０に移行し、この受信可能領域に、既に登録された他の放送基地局３１ａ〜３１ｃから送信される放送電波を受信可能な領域を表す重複領域があるか否かを判定する。重複領域がある場合にはＳ５５０に移行し、重複領域がない場合にはＳ６１０に移行する。
【００６４】
Ｓ５５０では、選択中の放送基地局３１ａ〜３１ｃに対応する受信可能領域と、他の放送基地局に対応する受信可能領域との重複領域のうちの１つを選択する。
そして、Ｓ５６０に移行し、受信可能領域から重複領域を分離し、この重複領域におけるチャンネルリストに、受信可能領域にて受信可能なテレビ放送チャンネルを追加設定する。
【００６５】
次いで、Ｓ５７０に移行し、この放送基地局３１ａ〜３１ｃに対応するチャンネルリストに類似または同一の放送局が制作した番組を放送するためのテレビ放送チャンネルがあるか否かを判定する。このようなテレビ放送チャンネルがあればＳ５８０に移行し、このようなテレビ放送チャンネルがなければＳ５９０に移行する。
【００６６】
なお、Ｓ５７０における類似または同一の判定は、チャンネルデータ更新処理のＳ１４０と同様の手法により行う。
Ｓ５８０では、類似または同一のテレビ放送チャンネルのうち、携帯電話機２０から放送基地局までの距離が遠いものを削除する。
【００６７】
そして、Ｓ５９０に移行し、未処理の重複領域があるか否かを判定する。
未処理の重複領域があれば、Ｓ６００に移行し、次の（未処理の）重複領域を選択し、Ｓ５６０に戻る。
【００６８】
一方、Ｓ５９０にて、未処理の重複領域がなければＳ６１０に移行する。
Ｓ６１０では、未処理の放送基地局があるか否かを判定する。未処理の放送基地局があれば、Ｓ６２０に移行し、次の放送基地局を選択し、Ｓ５２０に戻る。
【００６９】
一方、Ｓ６１０にて、未処理の放送基地局がなければ、チャンネルリスト作成処理を終了する。
上記のような放送受信システムにおいては、放送電波の受信信号の中から特定の放送チャンネルの信号を選局するＴＶ放送受信部２４と、ＴＶ放送受信部２４により選局可能なテレビ放送チャンネルを表すチャンネルデータを予め登録しておく制御部２１（ＲＡＭ）と、制御部２１（ＲＡＭ）に登録されたチャンネルデータの中から特定のテレビ放送チャンネルを選択し、このテレビ放送チャンネルをＴＶ放送受信部２４に受信させる制御部２１（ＣＰＵ）と、を備えた携帯電話機２０であって、制御部２１（ＣＰＵ）は、携帯電話機２０の現在地を検出する現在地検出処理を含むチャンネルデータ更新処理を行う。ここで、このチャンネルデータ更新処理は、現在地検出処理にて検出した現在地において、受信可能なテレビ放送チャンネルを表すチャンネルリストを外部から受信し、この受信したチャンネルリストの内容を、チャンネルデータとして制御部２１（ＲＡＭ）に登録する処理である。
【００７０】
従って、このような携帯電話機２０によれば、携帯電話機２０の現在地を検出し、検出した現在地に基づいて選局可能なテレビ放送チャンネルを登録するので、現在地の情報の入力を求めることなく、容易にテレビ放送チャンネルの登録をすることができる。
【００７１】
また、携帯電話機２０は、自身の位置情報を無線通信用の通信電磁波に乗せて送信する複数の通信基地局５ａ〜５ｅからの通信電磁波を受信する通信部２５を備えている。そして、制御部２１（ＣＰＵ）は、現在地検出処理において、通信部２５が受信した各通信基地局５ａ〜５ｅの位置情報と、各通信基地局５ａ〜５ｅから送信された通信電磁波の受信強度とに基づいて、この携帯電話機２０の現在地を算出するよう構成されている。
【００７２】
つまり、放送電波を受信可能な地域の多くは、無線通信用の通信電磁波を受信可能な地域でもあるため、このような携帯電話機２０によれば、この通信電磁波により比較的容易に携帯電話機２０の現在地を特定することができる。
【００７３】
また、携帯電話機２０に外部と無線通信を行う無線通信手段が備えられている場合には、この手段を用いて現在地を検出することができるので、位置を検出するための専用装置を配置する必要がない。
【００７４】
さらに、携帯電話機２０において、制御部２１により取得されるチャンネルリストには、各テレビ放送チャンネルに対応する番組を放送する放送局３２ａ〜３２ｄが識別可能に記述されている。そして、制御部２１（ＲＡＭ）は、選局可能な各テレビ放送チャンネルおよびその放送局３２ａ〜３２ｄを、使用者が識別できるようにするために予め設定された複数の識別子のそれぞれに対応させて登録可能である。さらに、制御部２１（ＣＰＵ）は、外部指令により特定の識別子が選択されると、制御部２１（ＲＡＭ）に登録されたチャンネルデータの中から、この識別子に対応する特定のテレビ放送チャンネルを選択し、このテレビ放送チャンネルをＴＶ放送受信部２４に受信させるよう構成されている。そして、制御部２１（ＣＰＵ）は、新たにチャンネルリストの内容を制御部２１（ＲＡＭ）に登録する際に、制御部２１（ＲＡＭ）に既に登録された各放送局３２ａ〜３２ｄと同系列の放送局３２ａ〜３２ｄをチャンネルリストからそれぞれ抽出し、抽出した各放送局３２ａ〜３２ｄに対応する各テレビ放送チャンネルを、同一の識別子のそれぞれに対応させて上書き登録するよう設定されている。
【００７５】
従って、このような携帯電話機２０によれば、移動しながら放送電波を受信するような場合など、異なる地域の放送電波を受信する場合であっても、見かけ上のチャンネル設定を変更することなくテレビ放送チャンネルを受信することができる。
【００７６】
加えて、携帯電話機２０において、制御部２１（ＣＰＵ）は、定期的に携帯電話機２０の現在地を検出し、現在、ＴＶ放送受信部２４により受信中のテレビ放送チャンネルを登録した識別子に対応するテレビ放送チャンネルが、制御部２１（ＲＡＭ）により上書き登録されると、ＴＶ放送受信部２４が受信するテレビ放送チャンネルを上書き登録されたテレビ放送チャンネルに変更することする。
【００７７】
従って、このような携帯電話機２０によれば、移動しながら放送番組を受信する場合であっても、チャンネルの設定をすることなく同一または同系列の放送局３２ａ〜３２ｄから放送される番組を受信し続けることができる。
【００７８】
なお、本発明の実施の形態は、上記の実施形態に何ら限定されることはなく、本発明の技術的範囲に属する限り種々の形態を採りうる。
例えば、本実施例において、チャンネルリスト作成処理は、ホストサーバ１０にて行うよう構成したが、ホストサーバ１０以外の装置により作成されていてもよい。この場合には、ホストサーバ１０の処理部１１は、例えばインターネット網７を介して作成されたチャンネルリストを取得すればよい。
【００７９】
また、本実施例においては、携帯電話機２０の現在地を検出するために現在地検出処理を実行したが、この構成に限らず、例えば、ＧＰＳ（全地球電波測位システム）等を使用して携帯電話機２０の現在地を検出してもよい。なお、この構成によれば、現在地を検出するための専用装置を携帯電話機２０に搭載しなければならないため、通信基地局５ａ〜５ｅからの電界強度に基づいて現在地を検出する本実施例の放送受信システム１の構成の方が、安価にシステムを構成することができる。
【００８０】
また、チャンネルデータ更新処理のＳ１４０およびチャンネルリスト作成処理のＳ５７０において、類似または同一（同系列）の放送局３２ａ〜３２ｄを特定するには、予め現在地とテレビ放送チャンネルおよび放送局３２ａ〜３２ｄを記憶する手段を備えておき、この手段から同系列の放送局３２ａ〜３２ｄを抽出するようにしたが、次のようにしてもよい。即ち、携帯電話機２０やホストサーバ１０は、公知の電子番組表を受信し（番組表受信手段）、その番組表から同一の放送番組を放送している放送局３２ａ〜３２ｄを特定することにより、同系列の放送局３２ａ〜３２ｄを特定する（系列放送局特定手段）ようにしてもよい。
【図面の簡単な説明】
【００８１】
【図１】放送受信システム１の概要を示すブロック図である。
【図２】携帯電話機２０の制御部２１が実行するチャンネルデータ更新処理を示すフローチャートである。
【図３】現在地検出処理を示すフローチャートである。
【図４】ホストサーバ１０の処理部１１が実行するチャンネルリスト作成処理を示すフローチャートである。
【符号の説明】
【００８２】
１…放送受信システム、５ａ〜５ｅ…通信基地局、７…インターネット網、９…電話回線網、１０…ホストサーバ、１１…処理部、１２…通信部、１３…チャンネルリストデータベース、１４…基地局データベース、２０…携帯電話機、２１…制御部、２２…操作部、２３…ディスプレイ、２４…ＴＶ放送受信部、２５…通信部、３１ａ〜３１ｃ…放送基地局、３２ａ〜３２ｄ…放送局。
【図１】
2006319760.tif 000003
【図２】
2006319760.tif 000004
【図３】
2006319760.tif 000005
【図４】
2006319760.tif 000006